(57)【要約】【課題】直径０．３μｍ付近の粒子径の小さい塩分を除去することを容易にすることができることを目的とする。【解決手段】外気１３の塩分を加湿部８によって加湿された空気に溶かし、そのあと加湿された空気をフィルター１０に衝突させて大きな水滴を下方の受水部１２へ落とし、そのあと除湿部１１により加湿された空気の水分を除去し吐出口７から排出されることとなり、直径０．３μｍ付近の粒子径の小さい塩分を除去することを容易にすることができる塩分除去ユニットを得られる。【選択図】図１
2016185501.tif 000002
【特許請求の範囲】
【請求項１】
枠体の内部に、塩分を含んだ外気を取り入れる流入口と、外気を処理した後排出する排出口とを備え、前記流入口から吐出口へ向かって、加湿部と、前記加湿部によって加湿された加湿空気が衝突するフィルターと、前記加湿空気の湿度を除去する除湿部と、前記枠体の下部に塩分を含んだ水分を受ける受水部とを設けたことを特徴とする塩分除去ユニット。
【請求項２】
加湿部を、噴霧式とすることを特徴とする請求項１に記載の塩分除去ユニット。
【請求項３】
加湿空気が衝突するフィルターを、エリミネーターとすることを特徴とする請求項１に記載の塩分除去ユニット。
【発明の詳細な説明】
【技術分野】
【０００１】
本発明は、有圧換気扇の前部に設ける塩分除去ユニットに関するものである。
【背景技術】
【０００２】
従来、この種の塩分除去ユニットは、塩分の含んだ外気を冷却し結露させ塩分を除去していた。
【先行技術文献】
【特許文献】
【０００３】
【特許文献１】特開昭６３−１０５３４１号公報
【発明の概要】
【発明が解決しようとする課題】
【０００４】
このような従来の塩分除去ユニットにおいては、不織布を用いたフィルターでは直径０．３μｍ付近の粒子径の小さい塩分を除去することは困難であった、という課題を有していた。
【０００５】
そこで本発明は、上記従来の課題を解決するものであり、直径０．３μｍ付近の粒子径の小さい塩分を除去することを容易にすることができる塩分除去ユニットを提供することを目的とする。
【課題を解決するための手段】
【０００６】
そして、この目的を達成するために、本発明は、枠体の内部に、塩分を含んだ外気を取り入れる流入口と、外気を処理した後排出する排出口とを備え、前記流入口から前記吐出口へ向かって、加湿部と、前記加湿部によって加湿された加湿空気が衝突するフィルターと、前記加湿空気の湿度を除去する除湿部と、前記枠体の下部に塩分を含んだ水分を受ける受水部とを設けたものであり、これにより所期の目的を達成するものである。
【発明の効果】
【０００７】
本発明によれば、枠体の内部に、塩分を含んだ外気を取り入れる流入口と、外気を処理した後排出する排出口とを備え、前記流入口から前記吐出口へ向かって、加湿部と、前記加湿部によって加湿された加湿空気が衝突するフィルターと、前記加湿空気の湿度を除去する除湿部と、前記枠体の下部に塩分を含んだ水分を受ける受水部とを設けた、という構成にしたことにより、外気の塩分を加湿部によって加湿された空気に溶かし、そのあと加湿された空気をフィルターに衝突させて大きな水滴を下方の受水部へ落とし、そのあと除湿部により加湿された空気の水分を除去し排出口から排出されることとなるので、直径０．３μｍ付近の粒子径の小さい塩分を除去することを容易にすることができる、という効果を得ることができる。
【図面の簡単な説明】
【０００８】
【図１】本発明の実施の形態１の塩分除去ユニットの側面から見た内部構成図
【発明を実施するための形態】
【０００９】
本発明の請求項１記載の塩分除去ユニットは、枠体の内部に、塩分を含んだ外気を取り入れる流入口と、外気を処理した後排出する排出口とを備え、前記流入口から前記吐出口へ向かって、加湿部と、前記加湿部によって加湿された加湿空気が衝突するフィルターと、前記加湿空気の湿度を除去する除湿部と、前記枠体の下部に塩分を含んだ水分を受ける受水部とを設けた、という構成を有する。これにより、外気の塩分を加湿部によって加湿された空気に溶かし、そのあと加湿された空気をフィルターに衝突させて大きな水滴を下方の受水部へ落とし、そのあと除湿部により加湿された空気の水分を除去し排出口から排出されることとなるので、直径０．３μｍ付近の粒子径の小さい塩分を除去することを容易にすることができる、という効果を奏する。
【００１０】
また、加湿部を、噴霧式とする、という構成にしてもよい、これにより、次々と水分を加湿部に供給するので、塩分を水分に多く含ませることができる、という効果を奏する。
【００１１】
また、加湿空気が衝突するフィルターを、エリミネーターとする、という構成にしてもよい。これにより、塩分を含んだ水滴がエリミネーターに次々と付着して大きな水滴となり自重により下方へ落ちていくので、塩分を含んだ外気中の水分を容易に除去することができる、という効果を奏する。
【００１２】
以下、本発明の実施の形態について図面を参照しながら説明する。
【００１３】
（実施の形態１）
図１に示すように、海岸付近に立地している倉庫や工場等の建物の上方に例えば方形状の開口１を設ける。
【００１４】
そして、開口１の屋外２側に風雨を防御するフード３はネジ等を介して取り付ける。
【００１５】
そして、開口１の屋内４側に直方体の枠体５を例えば吊りボルト等で結合させて取り付ける。
【００１６】
そして、枠体５の内部に、塩分を含んだ外気１３を取り入れる方形状の流入口６を設ける。
【００１７】
そして、流入口６から流入した外気１３を後述する塩分を除去し処理をした後に屋内４へ排出する方形状の吐出口７を設ける。
【００１８】
そして、流入口６から吐出口７へ向かって、加湿部８と、加湿部８によって加湿された加湿空気９が衝突する水分を除去するフィルター１０を設ける。
【００１９】
そして、加湿空気９の湿度を除去する一般的に利用されている除湿ロータで構成している除湿部１１を設ける。
【００２０】
そして、枠体５の下部に塩分を含んだ水分を受けるドレンパンである受水部１２を設ける。
【００２１】
このような、枠体５の内部の構成により、外気１３の塩分を加湿部８によって積極的に加湿された空気である加湿空気９に溶かし、そのあと加湿された加湿空気９をフィルター１０に衝突させて大きな水滴を発生させ、その水滴に自重により下方の受水部１２へ落とす。
【００２２】
そのあと、加湿された空気である加湿空気９の水分を除湿部１１により除去し排出口から排出されるので、塩分は水分に容易に溶け易いという性質を利用して０．３μｍ付近の粒子径の小さい塩分を除去することを容易にすることができる、という効果を奏する。
【００２３】
また、加湿部８を、例えばノズル１４を用いた噴霧式とする。
【００２４】
これにより、次々とノズル１４から噴霧する比較的粒径の小さい水分を多量に加湿部８に供給できるので、塩分を水分に多く含ませることができる。
【００２５】
外気１３から塩分を除去することができることとなる。
【００２６】
また、加湿空気９が衝突するフィルター１０をエリミネーター１５とする。
【００２７】
これにより、塩分を含んだ水滴が例えば一般家庭で使用している金属製のたわしのような構造であるエリミネーター１５に次々と付着して大きな水滴となり、そして、大きな水滴同士が更に結合し自重により下方へ落ちていくので、塩分を含んだ外気１３中の水分を容易に除去することができる。
【００２８】
結果、外気１３から塩分を除去することができることとなる。
【００２９】
最後に、加湿された加湿空気９は、除湿部１１にて除湿され、そのあとに設ける有圧換気扇１６を介して屋内４に供給される。
【００３０】
よって、除塩した処理のあとの外気１３を屋内４に供給しても、屋内４設備の湿気による錆等をも防止することができるので、有圧換気扇１６や枠体５の錆の腐食を極力防ぐことができる。
【産業上の利用可能性】
【００３１】
本発明にかかる塩分除去ユニットは、直径０．３μｍ付近の粒子径の小さい塩分を除去することを容易にすることができることを可能とするものであるので、花粉や黄砂等を除去する空気清浄機として有用である。
【符号の説明】
【００３２】
１    開口
２    屋外
３    フード
４    屋内
５    枠体
６    流入口
７    吐出口
８    加湿部
９    加湿空気
１０  フィルター
１１  除湿部
１２  受水部
１３  外気
１４  ノズル
１５  エリミネーター
１６  有圧換気扇
【図１】
2016185501.tif 000003